(57)【要約】【課題】ゴミやインク、削りカスなどが付着し難いアクセス部を有する印刷流体カートリッジを提供する。【解決手段】インクカートリッジ３０は、前面１４０と後面４１との間にインクを収容する本体（内部フレーム３５、後部カバー３１、前部カバー３２）と、本体に設けられており、収容されたインクを流出させるインク供給部３４と、本体に設けられており、軸周りに回動可能な移動部材８０と、移動部材８０に設けられたＩＣ基板６４と、を具備している。移動部材８０は、ＩＣ基板６４が概ね後方を向く第１姿勢と、回動端８０Ａが当該第１姿勢より上方に位置する第２姿勢との間を回動可能である。【選択図】図６
2018052004.tif 000002
【特許請求の範囲】
【請求項１】
前面と後面との間に印刷流体を収容する本体と、
上記前面に設けられており、収容された印刷流体を流出させる供給部と、
上記本体に設けられており、軸周りに回動可能な移動部材と、
上記移動部材に設けられたアクセス部と、を具備しており、
上記移動部材は、第１姿勢と、上記移動部材における上記軸から最も離れた部分が当該第１姿勢より上方且つ後方に位置し、上記外部部材と上記アクセス部とがアクセス可能な第２姿勢との間を回動可能であり、
上記アクセス部は、上記移動部材が上記第１姿勢のときに上記軸よりも下方且つ後方に位置する印刷流体カートリッジ。
【請求項２】
上記本体は、上記前面と上記後面との間に設けられた上面を有しており、
上記アクセス部は、上記第１姿勢において上記上面より下方に位置する請求項１に記載の印刷流体カートリッジ。
【請求項３】
上記本体は、上記前面及び上記上面に開口する凹部を有しており、
上記移動部材は、上記凹部に配置されている請求項２に記載の印刷流体カートリッジ。
【請求項４】
上記移動部材は、上記第１姿勢において前方を向く面が、外部部材に押圧されることによって、上記第２姿勢に回動する請求項３に記載の印刷流体カートリッジ。
【請求項５】
上記第１姿勢において前方を向く面は、上記移動部材が上記第１姿勢のときに前方向と直交する平面と、当該平面に対して傾斜した傾斜面と、を備え、
上記平面は、上記移動部材が上記第２姿勢のときに、上記外部部材に支持される請求項４に記載の印刷流体カートリッジ。
【請求項６】
当該印刷流体カートリッジは、上記前面を挿入方向の前方としてカートリッジ装着部に挿入されるものであり、
上記外部部材は、上記カートリッジ装着部に設けられており、上記挿入方向と反対向きへ延びるロッドである請求項４または５に記載の印刷流体カートリッジ。
【請求項７】
上記供給部は、上記本体の前面に配置されている請求項１から６のいずれかに記載の印刷流体カートリッジ。
【請求項８】
上記アクセス部は、電気的インターフェースの電極であり、
上記電極は、上記回動軸と直交する方向を向いており、上記移動部材が上記第１姿勢において概ね後方を向いている請求項１から７のいずれかに記載の印刷流体カートリッジ。
【請求項９】
当該印刷流体カートリッジは、カートリッジ装着部に装着されるものであり、
上記移動部材が上記第１姿勢において、当該印刷流体カートリッジの装着状態における水平方向に対する上記電極の角度は、０度より大きく且つ９０度以下である請求項８に記載の印刷流体カートリッジ。
【請求項１０】
上記本体に設けられた電気的インターフェースを更に具備しており、
上記アクセス部は、当該印刷流体カートリッジがカートリッジ装着部に装着された状態において、当該印刷流体カートリッジの種別を検知するために上記回動軸に沿った方向からの光を減衰させる光減衰部であり、上記第２姿勢において上記電気的インターフェースより後方且つ上方に位置するものである請求項１から７のいずれかに記載の印刷流体カートリッジ。
【発明の詳細な説明】
【技術分野】
【０００１】
本発明は、アクセス部を有する印刷流体カートリッジに関する。
【背景技術】
【０００２】
従来より、インクカートリッジに貯留されたインクをノズルから吐出することによって、記録媒体に画像を記録するインクジェット記録装置が知られている。インクジェット記録装置において、インクが消費される毎に新たなインクカートリッジを装着可能に構成されたものがある。
【０００３】
インクカートリッジには、インク残量やカートリッジの使用履歴等の情報を記憶する回路基板が設けられることがある。インクカートリッジが画像記録装置に装着されると、回路基板が画像記録装置のコネクタ端子と接続されることにより、回路基板に記憶された情報が読み出し可能となる。回路基板とコネクタ端子との導通不良を解消するために、回路基板が移動部材に搭載され、画像記録装置に設けられたピンによってコネクタ端子へ向かって案内される構成が公知である（特許文献１）。
【先行技術文献】
【特許文献】
【０００４】
【特許文献１】特開２０１１−１６７９６６号公報
【発明の概要】
【発明が解決しようとする課題】
【０００５】
回路基板のように、インクカートリッジが画像記録装置に装着された状態において、画像記録装置からアクセスされるアクセス部は、表面が汚染等されることにより、アクセス不良が生じやすい。例えば、回路基板のように電気的に導通されるアクセス部は、インクカートリッジの装着過程において端子と摺接する。この摺接によって、アクセス部に削りカスが溜まり、アクセス部と端子との間に削りカスが挟まることによってアクセス不良が生じ得る。また、アクセス部にゴミやインクなどが付着した場合も、同様にアクセス不良が生じ得る。従来のアクセス部は、インクカートリッジの外方を向いているために、ゴミやインクが付着しやすく、また、削りカスなどが落ちにくかった。
【０００６】
本発明は、前述された事情に鑑みてなされたものであり、その目的は、ゴミやインク、削りカスなどが付着し難いアクセス部を有する印刷流体カートリッジを提供することにある。
【課題を解決するための手段】
【０００７】
(1)  本発明に係る印刷流体カートリッジは、前面と後面との間に印刷流体を収容する本体と、上記前面に設けられており、収容された印刷流体を流出させる供給部と、上記本体に設けられており、軸周りに回動可能な移動部材と、上記移動部材に設けられたアクセス部と、を具備している。上記移動部材は、第１姿勢と、上記移動部材における上記軸から最も離れた部分が当該第１姿勢より上方且つ後方に位置し、上記外部部材と上記アクセス部とがアクセス可能な第２姿勢との間を回動可能である。上記アクセス部は、上記移動部材が上記第１姿勢のときに上記軸よりも下方且つ後方に位置する。
【０００８】
アクセス部は、軸周りに回動可能な移動部材によって、第１姿勢と、外部部材によってアクセス可能な第２姿勢とに回動可能である。アクセス部が、外部部材によってアクセス可能な第２姿勢とは異なる第１姿勢において、アクセス部には、ごみやインク、削りカスなどが付着しがたい。
【０００９】
また、アクセス部は第１姿勢において軸より下方かつ後方に位置する。これにより、前面に設けられた供給部から流出したインクがアクセス部に付着する可能性を、アクセス部が第１姿勢において軸より前方に位置する場合よりも低くすることができる。
【００１０】
(2)  好ましくは、上記本体は、上記前面と上記後面との間に設けられた上面を有しており、上記アクセス部は、上記第１姿勢において上記上面より下方に位置する。
【００１１】
上記構成によれば、移動部材が第１姿勢であるときに、ユーザがアクセス部に触れるおそれを軽減できる。
【００１２】
(3)  好ましくは、上記本体は、上記前面及び上記上面に開口する凹部を有しており、上記移動部材は、上記凹部に配置されている。
【００１３】
上記構成によれば、移動部材が第１姿勢であるときに、ユーザがアクセス部に触れるおそれを一層軽減できる。また、印刷流体カートリッジが床に落下されたりしたときに、移動部材及びアクセス部が破損し難い。
【００１４】
(4)  好ましくは、上記移動部材は、上記第１姿勢において前方を向く面が、外部部材に押圧されることによって、上記第２姿勢に回動する。
【００１５】
(5)  好ましくは、上記第１姿勢において前方を向く面は、上記移動部材が上記第１姿勢のときに前方向と直交する平面と、当該平面に対して傾斜した傾斜面と、を備える。上記平面は、上記移動部材が上記第２姿勢のときに、上記外部部材に支持される。
【００１６】
上記構成によれば、外部部材が移動部材を押圧するときに、外部部材が傾斜面に案内されることによって、移動部材が円滑に回動することができる。また、平面が外部部材に支持されることによって、第２姿勢の移動部材を安定させることができる。
【００１７】
(6)  好ましくは、当該印刷流体カートリッジは、上記前面を挿入方向の前方としてカートリッジ装着部に挿入されるものであり、上記外部部材は、上記カートリッジ装着部に設けられており、上記挿入方向と反対向きへ延びるロッドである。
【００１８】
上記構成によれば、印刷流体カートリッジがカートリッジ装着部に挿入される過程において、ロッドが当接することによって、移動部材が第１姿勢から第２姿勢へ回動する。
【００１９】
(7)  好ましくは、上記供給部は、上記本体の前面に配置されている。
【００２０】
上記構成によれば、供給部から流出した印刷流体が、アクセス部に付着し難い。
【００２１】
(8)  好ましくは、上記アクセス部は、電気的インターフェースの電極である。上記電極は、上記回動軸と直交する方向を向いており、上記移動部材が上記第１姿勢において概ね後方を向いている。
【００２２】
上記構成によれば、移動部材が第１姿勢であるとき、アクセス部は概ね後方を向く。「概ね後方を向く」とは、アクセス部の表面が前後方向と直交し、かつアクセス部の直後から前方向へアクセス部を視たときに、アクセス部の表面が視認できている場合のみならず、アクセス部の表面が前後方向と交差しており、かつアクセス部の直後から前方向へアクセス部を視たときに、アクセス部の表面が視認できる場合を含む。これにより、移動部材が第１姿勢であるときに、アクセス部にゴミやインク、削りカスなどが付着し難い。
【００２３】
(9)  好ましくは、当該印刷流体カートリッジは、カートリッジ装着部に装着されるものであり、上記移動部材が上記第１姿勢において、当該印刷流体カートリッジの装着状態における水平方向に対する上記電極の角度は、０度より大きく且つ９０度以下である
【００２４】
(10)  好ましくは、上記本体に設けられた電気的インターフェースを更に具備しており、上記アクセス部は、当該印刷流体カートリッジがカートリッジ装着部に装着された状態において、当該印刷流体カートリッジの種別を検知するために上記回動軸に沿った方向からの光を減衰させる光減衰部であり、上記第２姿勢において上記電気的インターフェースより後方且つ上方に位置するものである。
【発明の効果】
【００２５】
本発明によれば、ゴミやインク、削りカスなどが付着し難いアクセス部を有する印刷流体カートリッジが実現される。
【図面の簡単な説明】
【００２６】
【図１】図１は、カートリッジ装着部１１０を備えたプリンタ１０の内部構造を模式的に示す模式断面図である。
【図２】図２は、カートリッジ装着部１１０の外観構成を示す正面図である。
【図３】図３（Ａ）は、インクカートリッジ３０を前方且つ上方から視た状態の外観構成を示す斜視図である。図３（Ｂ）は、インクカートリッジ３０を前方且つ下方から視た状態の外観構成を示す斜視図である。
【図４】図４（Ａ）は、インクカートリッジ３０を後方且つ上方から視た状態の外観構成を示す斜視図である。図４（Ｂ）は、インクカートリッジ３０を後方且つ下方から視た状態の外観構成を示す斜視図である。
【図５】図５は、インクカートリッジ３０の側面図である。
【図６】図６は、インクカートリッジ３０の内部構成を示す縦断面図である。
【図７】図７は、インクカートリッジ３０及びカートリッジ装着部１１０を示す縦断面図であり、インクカートリッジ３０がカートリッジ装着部１１０に挿入され始めた状態を示している。
【図８】図８は、インクカートリッジ３０及びカートリッジ装着部１１０を示す縦断面図であり、インク供給部３４がガイド部１０５に進入し始め、ロッド１２５が前部カバー３２の凹部９６に進入し始めた状態を示している。
【図９】図９は、インクカートリッジ３０及びカートリッジ装着部１１０を示す縦断面図であり、インクニードル１０２がインク供給部３４のインク供給口７１に進入し、係合部１３０が凹部９１の真上に位置した状態を示している。
【図１０】図１０は、インクカートリッジ３０及びカートリッジ装着部１１０を示す縦断面図であり、インクニードル１０２がインク供給部３４のインク供給口７１に進入し、係合部１３０が凹部９１に嵌った状態を示している。
【発明を実施するための形態】
【００２７】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００２８】
また、以下の説明では、インクカートリッジ３０がカートリッジ装着部１１０（外部部材の一例）に挿入される方向が前方向５１（挿入方向の一例）と定義される。また、前方向５１と反対方向であって、インクカートリッジ３０がカートリッジ装着部１１０から脱抜される方向が後方向５２と定義される。本実施形態において、前方向５１及び後方向５２は水平方向であるが、前方向５１及び後方向５２は水平方向でなくてもよい。また、重力方向が下方向５３と定義され、重力方向と反対方向が上方向５４と定義される。また、前方向５１及び下方向５３と直交する方向が、右方向５５及び左方向５６と定義される。より具体的には、インクカートリッジ３０がカートリッジ装着部１１０の装着位置まで挿入された状態、つまりインクカートリッジ３０が装着姿勢にある状態（装着状態）において、インクカートリッジ３０を前方から後方に視た場合において、右に延びる方向が右方向５５と定義され、左に延びる方向が左方向５６と定義される。
【００２９】
また、前方向５１及び後方向５２は、前後方向５１、５２と定義される。また、上方向５４及び下方向５３は、上下方向５３、５４と定義される。また、右方向５５及び左方向５６は、左右方向５５、５６と定義される。
【００３０】
また、本明細書等において、「前方を向く」とは、前方の成分を含む方向を向くことを含み、「後方を向く」とは、後方の成分を含む方向を向くことを含み、「下方を向く」とは、下方の成分を含む方向を向くことを含み、「上方を向く」とは、上方の成分を含む方向を向くことを含む。例えば、「前面が前方を向く」とは、前面が前方を向いていてもよいし、前面が前方に対して傾斜した方向を向いていてもよい。
【００３１】
［プリンタ１０の概要］
図１に示されるように、プリンタ１０は、インクジェット記録方式に基づいて、用紙に対してインク滴を選択的に吐出することにより画像を記録するものである。プリンタ１０は、記録ヘッド２１と、インク供給装置１００と、記録ヘッド２１及びインク供給装置１００を接続するインクチューブ２０とを備えている。インク供給装置１００には、カートリッジ装着部１１０が設けられている。カートリッジ装着部１１０には、インクカートリッジ３０（印刷流体カートリッジの一例）が装着され得る。カートリッジ装着部１１０には、その一面に開口１１２が設けられている。インクカートリッジ３０は、開口１１２を通じてカートリッジ装着部１１０に前方へ挿入され、或いはカートリッジ装着部１１０から後方へ抜き出される。
【００３２】
インクカートリッジ３０には、プリンタ１０で使用可能なインク（印刷流体の一例）が貯留されている。カートリッジ装着部１１０へのインクカートリッジ３０の装着が完了した状態において、インクカートリッジ３０と記録ヘッド２１とは、インクチューブ２０で接続されている。記録ヘッド２１にはサブタンク２８が設けられている。サブタンク２８は、インクチューブ２０を通じて供給されるインクを一時的に貯留する。記録ヘッド２１は、インクジェット記録方式によって、サブタンク２８から供給されたインクをノズル２９から選択的に吐出する。具体的には、記録ヘッド２１に設けられたヘッド制御基板から各ノズル２９に対応して設けられたピエゾ素子２９Ａに選択的に駆動電圧が印加される。これにより、ノズル２９から選択的にインクが吐出される。つまり、記録ヘッド２１は、カートリッジ装着部１１０に装着されたインクカートリッジ３０に貯留されたインクを消費する。
【００３３】
プリンタ１０は、給紙トレイ１５と、給紙ローラ２３と、搬送ローラ対２５と、プラテン２６と、排出ローラ対２７と、排紙トレイ１６と、を備えている。給紙トレイ１５から給紙ローラ２３によって搬送路２４へ給送された用紙は、搬送ローラ対２５によってプラテン２６上へ搬送される。記録ヘッド２１は、プラテン２６上を通過する用紙に対してインクを選択的に吐出する。これにより、用紙に画像が記録される。プラテン２６を通過した用紙は、排出ローラ対２７によって、搬送路２４の最下流側に設けられた排紙トレイ１６に排出される。
【００３４】
［インク供給装置１００］
図１に示されるように、インク供給装置１００は、プリンタ１０に設けられている。インク供給装置１００は、プリンタ１０が備える記録ヘッド２１にインクを供給するものである。インク供給装置１００は、インクカートリッジ３０を装着可能なカートリッジ装着部１１０を備えている。なお、図１においては、カートリッジ装着部１１０へのインクカートリッジ３０の装着が完了した状態が示されている。つまり、図１において、インクカートリッジ３０は装着状態である。
【００３５】
［カートリッジ装着部１１０］
図２及び図７に示されるように、カートリッジ装着部１１０は、ケース１０１と、インクニードル１０２と、残量センサ１０３と、装着センサ１１３と、４つの接点１０６と、を備えている。カートリッジ装着部１１０には、シアン、マゼンタ、イエロー、ブラックの各色に対応する４つのインクカートリッジ３０が収容可能である。また、インクニードル１０２、残量センサ１０３、装着センサ１１３、及び４つの接点１０６は、４つのインクカートリッジ３０それぞれに対応して、４つずつ設けられている。
【００３６】
［ケース１０１］
図２及び図７に示されるように、カートリッジ装着部１１０の筐体を形成するケース１０１は、ケース１０１の内部空間の天部を確定している天面と、底部を確定している底面と、天部と底部とをつないでいる終面と、終面と前後方向５１、５２に対向する位置に設けられた開口１１２とを有する箱形状である。開口１１２は、ユーザがプリンタ１０を使用するときに対面する面であるプリンタ１０のユーザインタフェース面に露出し得る。
【００３７】
開口１１２を通じてケース１０１へインクカートリッジ３０が挿抜される。インクカートリッジ３０は、天面及び底面に設けられたガイド溝１０９に、インクカートリッジ３０の上端部及び下端部が挿入されることによって、図７において前後方向５１、５２へ案内される。ケース１０１には、内部空間を上下方向５３、５４に長い４つの空間に仕切り分ける３つのプレート１０４が設けられている。プレート１０４によって仕切り分けられた各空間それぞれにインクカートリッジ３０が収容される。
【００３８】
［凹部９１］
図７に示されるように、ケース１０１の底面における終面付近には、下方へ凹んだ凹部９１が形成されている。
【００３９】
凹部９１は、その前端を面９２によって区画されており、その後端を面９３によって区画されており、その下端を面９４によって区画されている。面９２は、その上端がその下端よりも前方に位置し且つ後方及び上方を向くように、前後方向５１、５２に対して傾斜している。面９３は、その上端がその下端よりも後方に位置し且つ前方及び上方を向くように、前後方向５１、５２に対して傾斜している。面９４の前端は、面９２の下端と繋がっている。面９４の後端は、面９３の下端と繋がっている。
【００４０】
なお、面９３、９４は、上下方向５３、５４に沿っていてもよい。また、凹部９１は、ケース１０１の底面における終面付近以外に形成されていてもよい。
【００４１】
インクカートリッジ３０がカートリッジ装着部１１０に装着された状態において、凹部９１には、インクカートリッジ３０の後述する係合部１３０が嵌り込む。そして、このとき、凹部９１の面９３は、係合部１３０の後述する面１３４と係合する。
【００４２】
［インクニードル１０２］
図７に示されるように、インクニードル１０２は、管状の樹脂からなり、ケース１０１の終面の下部に位置している。インクニードル１０２は、ケース１０１の終面において、カートリッジ装着部１１０に装着されたインクカートリッジ３０のインク供給部３４（供給部の一例）に対応する位置に配置されている。インクニードル１０２は、ケース１０１の終面から後方へ突出している。
【００４３】
インクニードル１０２の周囲には、円筒形状のガイド部１０５が配置されている。ガイド部１０５は、ケース１０１の終面から後方へ突出し、その突出端が開口している。インクニードル１０２は、ガイド部１０５の中心に配置されている。ガイド部１０５は、インクカートリッジのインク供給部３４が内方に進入する形状である。
【００４４】
インクカートリッジ３０がカートリッジ装着部１１０に前方へ挿入される過程において、つまりインクカートリッジ３０が装着位置へ移動する過程において、インクカートリッジ３０のインク供給部３４がガイド部１０５に進入する（図８参照）。さらにインクカートリッジ３０がカートリッジ装着部１１０に前方へ挿入されると、インクニードル１０２が、インク供給部３４に形成されたインク供給口７１に挿入される（図９参照）。これにより、インクニードル１０２とインク供給部３４とは連結される。そして、インクカートリッジ３０の内部に形成された貯留室３６に貯留されたインクは、インク供給部３４の内部に形成された筒壁７３の内部空間及びインクニードル１０２の内部空間を通じてインクニードル１０２に接続されたインクチューブ２０に流出される。なお、インクニードル１０２の先端は、平坦であってもよく、尖っていてもよい。
【００４５】
［接点１０６］
図２及び図７に示されるように、ケース１０１の天面における終面付近には４つの接点１０６が設けられている。４つの接点１０６は、天面からケース１０１の内部空間へ向けて下方に突出している。各図には詳細に示されていないが、４つの接点１０６は、左右方向５５、５６に離れて配置されている。４つの接点１０６の配置は、後述されるインクカートリッジ３０の４つの電極６５の配置に対応している。各接点１０６は、導電性及び弾性を有する部材で構成されており、上方へ弾性的に変形可能である。４つの接点１０６は、ケース１０１に収容可能な４つのインクカートリッジ３０に対応して、４組が設けられている。なお、接点１０６の個数及び電極６５の個数は任意である。
【００４６】
各接点１０６は、電気回路を介して演算装置に電気的に接続されている。演算装置は、例えばＣＰＵ，ＲＯＭ，ＲＡＭなどからなるものであり、プリンタ１０の制御部として構成されていてもよい。接点１０６と対応する電極６５とが係合して電気的に導通されることによって、電圧Ｖｃが電極６５に印加されたり、電極６５がアースされたり、電極６５に電力が供給されたりする。接点１０６と対応する電極６５との電気的に導通により、インクカートリッジ３０のＩＣに格納されたデータにアクセス可能となる。電気回路からの出力は演算装置に入力される。
【００４７】
［ロッド１２５］
図２及び図７に示されるように、ケース１０１の終面におけるインクニードル１０２より上方に、ロッド１２５（外部部材の一例）が形成されている。ロッド１２５は、ケース１０１の終面から後方へ突出している。ロッド１２５は、円筒形状の上半分の如く、前後方向５１、５２と直交する断面形状が逆向きＵ字形状であって、その最上部分からリブが上方へ突出した形状である。当該リブは、前後方向５１、５２へ延びている。ロッド１２５は、インクカートリッジ３０がカートリッジ装着部１１０に装着された状態において、つまりインクカートリッジ３０が装着位置に位置する状態において、後述する凹部９６へ挿入される。
【００４８】
［残量センサ１０３］
図７に示されるように、ケース１０１の天面における接点１０６よりも後方には、残量センサ１０３が配置されている。残量センサ１０３は、発光部及び受光部を備える。発光部は、受光部よりも右方または左方に、受光部と間隔を空けて配置されている。カートリッジ装着部１１０への装着が完了したインクカートリッジ３０の残量検知部５８の収容体６２は、発光部及び受光部の間の検出位置に配置される。換言すれば、発光部及び受光部は、カートリッジ装着部１１０への装着が完了したインクカートリッジ３０の残量検知部５８の収容体６２を挟んで対向配置されている。
【００４９】
残量センサ１０３は、発光部から左右方向５５、５６に沿って照射された光が受光部で受光されたか否かに応じて異なる検知信号を出力する。例えば、残量センサ１０３は、発光部から出力された光が受光部で受光できない（すなわち、受光強度が所定の強度未満である）ことを条件として、ローレベル信号（「信号レベルが閾値レベル未満の信号」を指す。）を出力する。一方、残量センサ１０３は、発光部から出力された光が受光部で受光できた（すなわち、受光強度が所定の強度以上である）ことを条件として、ハイレベル信号（「信号レベルが閾値レベル以上の信号」を指す。）を出力する。
【００５０】
［装着センサ１１３］
図７に示されるように、ケース１０１の天面には、装着センサ１１３が配置されている。装着センサ１１３は、残量センサ１０３よりも前方且つ接点１０６よりも後方に位置している。装着センサ１１３は、発光部及び受光部を備える。発光部は、受光部よりも右方または左方に、受光部と間隔を空けて設けられている。カートリッジ装着部１１０への装着が完了したインクカートリッジ３０の後述する遮光板６７は、発光部及び受光部の間に配置される。換言すれば、発光部及び受光部は、カートリッジ装着部１１０への装着が完了したインクカートリッジ３０の遮光板６７を挟んで対向配置されている。
【００５１】
装着センサ１１３は、発光部から左右方向５５、５６に沿って照射された光が受光部で受光されたか否かに応じて異なる検知信号を出力する。例えば、装着センサ１１３は、発光部から出力された光が受光部で受光できない（すなわち、受光強度が所定の強度未満である）ことを条件として、ローレベル信号を出力する。一方、装着センサ１１３は、発光部から出力された光が受光部で受光できた（すなわち、受光強度が所定の強度以上である）ことを条件として、ハイレベル信号を出力する。
【００５２】
［インクカートリッジ３０］
図３〜図６に示されるインクカートリッジ３０はインクが貯留される容器である。インクカートリッジ３０の内部に形成されている空間がインクを貯留する貯留室３６である。貯留室３６は、内部フレーム３５によって形成されている。内部フレーム３５は、インクカートリッジ３０の外観を形成している後部カバー３１及び前部カバー３２に収納されたフレームである。内部フレーム３５、後部カバー３１、及び前部カバー３２は、本体の一例である。
【００５３】
なお、貯留室３６は、後部カバー３１及び前部カバー３２によって形成されていてもよい。つまり、インクカートリッジ３０は、内部フレーム３５が後部カバー３１及び前部カバー３２に収納された構成でなく、後部カバー３１及び前部カバー３２によって構成されていてもよい。また、インクを貯留可能な袋が、後部カバー３１及び前部カバー３２に収納されていてもよい。つまり、当該袋が、内部フレーム３５と同様の機能を有していてもよい。
【００５４】
図３〜図６に示されているインクカートリッジ３０の姿勢は、インクカートリッジ３０が装着状態にあるときの姿勢である。すなわち、インクカートリッジ３０は、後述されるように、前面１４０と、後面４１と、上面３９，１４１と、下面４２，１４２とを備えるが、図３〜図６に示されているインクカートリッジ３０の姿勢は、後面４１から前面１４０に向かう方向が前方向５１に一致し、前面１４０から後面４１に向かう方向が後方向５２に一致し、上面３９，１４１から下面４２，１４２に向かう方向が下方向５３に一致し、下面４２，１４２から上面３９，１４１に向かう方向が上方向５４に一致する姿勢である。
【００５５】
後面４１は、前面１４０よりも後方に離れて位置する。上面３９、１４１は、前面１４０及び後面４１の間に位置する。下面４２、１４２は、上面３９、１４１よりも下方に離れて位置する。下面４２、１４２は、前面１４０及び後面４１の間に位置する。
【００５６】
インクカートリッジ３０がカートリッジ装着部１１０に装着されるときに、前面１４０は前方を向き、後面４１は後方を向き、下面４２，１４２は下方を向き、上面３９，１４１は上方を向く。
【００５７】
図３〜図６に示されるように、インクカートリッジ３０は、略直方体形状で後面４１を構成する後部カバー３１と、略直方体形状で前面１４０を構成する前部カバー３２と、貯留室３６を区画する内部フレーム３５とで構成される。後部カバー３１に前部カバー３２が組み付けられて、インクカートリッジ３０の外形が構成されている。内部フレーム３５は、組み付けられた後部カバー３１及び前部カバー３２の内部に収納される。
【００５８】
インクカートリッジ３０は、装着状態において、前後方向５１、５２、上下方向５３、５４、及び左右方向５５、５６に延びている。インクカートリッジ３０は、全体として、左右方向５５、５６に沿った寸法が細く、上下方向５３、５４及び前後方向５１、５２それぞれに沿った寸法が、左右方向５５、５６に沿った寸法よりも大きい扁平形状である。インクカートリッジ３０がカートリッジ装着部１１０へ挿入されるときに挿入方向（前方）を向く前部カバー３２の面が前面１４０である。インクカートリッジ３０がカートリッジ装着部１１０から抜き出されるときに脱抜方向（後方）を向く後部カバー３１の面が後面４１である。すなわち、後面４１は、前部カバー３２の前面１４０との間に貯留室３６を挟んで配置されている。
【００５９】
［後部カバー３１］
図３及び図４に示されるように、後部カバー３１は、左右方向５５、５６において互いに隔てて配置された側面３７、３８と、上下方向５３、５４において互いに隔てて配置された上面３９及び下面４２とが後面４１から前方に延設されて構成されており、前方へ向かって開口された箱形である。後部カバー３１の内部には、開口を通じて内部フレーム３５が挿入される。すなわち、後部カバー３１は、内部フレーム３５の後部を覆っている。また、下面４２は、内部フレーム３５が挿入された状態において、上面３９との間に貯留室３６を挟んで配置されている。
【００６０】
後面４１は、上部分４１Ｕと下部分４１Ｌとを有する。上部分４１Ｕは、下部分４１Ｌよりも上方に位置する。下部分４１Ｌは、上部分４１Ｕよりも前方に位置する。上部分４１Ｕ及び下部分４１Ｌは、いずれも平面であり、相互に直交せずに交差している。下部分４１Ｌは、下面４２に近づくほど前面１４０に近くなるように上下方向５３、５４に対して傾斜している。図示されていないが、上部分４１Ｕには、ユーザが押すことを促す「ＰＵＳＨ」などの文字、矢印などの記号、指で押すことを示した図などが記されたシートが貼られている。
【００６１】
なお、後面４１は、下部分４１Ｌを有さず、上部分４１Ｕだけで構成されていてもよい。つまり、上部分４１Ｕの下端と、後部カバー３１の下面４２の後端とが繋がっていてもよい。
【００６２】
［前部カバー３２］
図３及び図４に示されるように、前部カバー３２は、左右方向５５、５６において互いに隔てて配置された側面１４３、１４４と、上下方向５３、５４において互いに隔てて配置された上面１４１及び下面１４２とが前面１４０から後方に延設されて構成されており、後方へ向かって開口された箱形である。前部カバー３２の内部には、開口を通じて内部フレーム３５が挿入される。すなわち、前部カバー３２は、内部フレーム３５のうちの後部カバー３１によって覆われていない前部を覆っている。
【００６３】
前部カバー３２及び後部カバー３１が組み付けられた状態、すなわちインクカートリッジ３０が組み立てられた状態において、前部カバー３２の上面１４１は、後部カバー３１の上面３９と共にインクカートリッジ３０の上面を構成する。前部カバー３２の下面１４２は、後部カバー３１の下面４２と共にインクカートリッジ３０の下面を構成する。前部カバー３２の側面１４３、１４４は後部カバー３１の側面３７、３８と共にインクカートリッジ３０の側面を構成する。
【００６４】
また、インクカートリッジ３０が組み立てられた状態において、インクカートリッジ３０の前面を構成する前部カバー３２の前面１４０と、インクカートリッジ３０の後面を構成する後部カバー３１の後面４１とは、前後方向５１、５２において互いに隔てて配置されている。
【００６５】
なお、インクカートリッジ３０の前面、後面、上面、下面、側面は、必ずしも１つの平面をなしている必要はない。すなわち、装着状態のインクカートリッジ３０を前方から後方に視たときに視認し得る面であり、且つ、装着状態のインクカートリッジ３０の前後方向５１、５２の中心よりも前方に位置する面が前面である。装着状態のインクカートリッジ３０を後方から前方に視たときに視認し得る面であり、且つ、装着状態のインクカートリッジ３０の前後方向５１、５２の中心よりも後方に位置する面が後面である。装着状態のインクカートリッジ３０を上方から下方に視たときに視認し得る面であり、且つ、装着状態のインクカートリッジ３０の上下方向５３、５４の中心よりも上方に位置する面が上面である。装着状態のインクカートリッジ３０を下方から上方に視たときに視認し得る面であり、且つ、装着状態のインクカートリッジ３０の上下方向５３、５４の中心よりも下方に位置する面が下面である。側面に関しても同様である。
【００６６】
前部カバー３２の前上部には、凹部９６が形成されている。凹部９６は、前面１４０の上端部の開口９６Ａから後方へ凹んでいる。また、凹部９６は、上面１４１の前端部の開口９６Ｂから下方へ凹んでいる。また、開口９６Ａと開口９６Ｂとは繋がっている。以上より、凹部９６は、前面１４０及び上面１４１に開口している。凹部９６には、インクカートリッジ３０がカートリッジ装着部１１０に装着された状態においてロッド１２５が進入する。したがって、凹部９６の前後方向５１、５２に直交する断面は、ロッド１２５の断面形状に対応する形状である。
【００６７】
前部カバー３２の前面１４０の下部には、後方へ貫通する孔９７が形成されている。孔９７は、前部カバー３２に内部フレーム３５が挿入された状態において、内部フレーム３５のインク供給部３４を外部へ露出させるための孔になる。したがって、孔９７は、内部フレーム３５のインク供給部３４に対応する位置、寸法、及び形状に形成されている。
【００６８】
前部カバー３２の前面１４０には、第１突出部８５及び第２突出部８６が形成されている。第１突出部８５は、前部カバー３２の上端において前方へ突出している。凹部９６は、第１突出部８５の先端に設けられている。第１突出部８５の先端は前面１４０の一部をなす。第２突出部８６は、前部カバー３２の前面１４０の下端、すなわちインク供給部３４より下方において、前面１４０から前方へ突出している。
【００６９】
前部カバー３２の上面１４１には、下方に貫通する孔９８が形成されている。孔９８は、前部カバー３２に内部フレーム３５が挿入された状態において、内部フレーム３５から突出した後述する収容体６２を外部へ露出させるための孔になる。したがって、孔９８は、収容体６２に対応する位置、寸法、及び形状に形成されている。
【００７０】
前部カバー３２の上面１４１には、上方に突出する遮光板６７が形成されている。遮光板６７は、前後方向５１、５２に延びている。遮光板６７は、内部フレーム３５から突出した収容体６２よりも前方に位置している。遮光板６７は、後述するＩＣ基板６４よりも後方且つ上方に位置している。
【００７１】
遮光板６７は、左右方向５５、５６を向く側面６７Ａ（光減衰部の一例）によって左右方向５５、５６に進行する装着センサ１１３の光を遮断する。より詳細には、装着センサ１１３の発光部から出力された光が受光部に到達するまでの間に遮光板６７に当たることによって、受光部に到達する光の強度が所定の強度未満、例えば、ゼロとなる。遮光板６７は、光が左右方向５５、５６に進むのを完全に遮断してもよいし、光を部分的に減衰させてもよいし、光の進行方向を曲げてもよいし、光を全反射させてもよい。
【００７２】
［移動部材８０及びＩＣ基板６４］
図３、図４、及び図６に示されるように、凹部９６には、移動部材８０が配置されている。移動部材８０は、左右方向５５、５６に沿った軸８２（図６参照）から延びた概ね板状の部材である。軸８２は、後述する突起８１の中心を通る左右方向５５、５６に沿った仮想線である。移動部材８０は、一方の面８３と、一方の面８４の裏面である他方の面８４とを備えている。
【００７３】
図６に示されるように、移動部材８０の一方の面８３には、ＩＣ基板６４（電気的インターフェースの一例）が固定されている。ＩＣ基板６４は、接着や嵌合などの公知の手段によって、移動部材８０に固定されている。ＩＣ基板６４は、ガラスエポキシなどで構成された固い板状のリジッド基板である。ＩＣ基板６４は、インクカートリッジ３０がカートリッジ装着部１１０に装着される途中において左右方向５５、５６に沿って４つが並ぶ接点１０６（図２参照）と導通し、かつインクカートリッジ３０がカートリッジ装着部１１０に装着された状態においても接点１０６と導通する。
【００７４】
図４（Ａ）に示されるように、ＩＣ基板６４には、ＩＣ（各図には現れていない）と、４つの電極６５（アクセス部の一例）とが搭載されている。なお、図４（Ａ）では、４つの電極６５のうちの３つが示されており、残り１つの電極６５は右壁６８によって隠れている。４つの電極６５は、左右方向５５、５６に沿って並んでいる。ＩＣは、半導体集積回路であり、インクカートリッジ３０に関する情報、例えば、ロット番号や製造年月日、インク色などの情報を示すデータが読み出し可能に格納されている。
【００７５】
各電極６５はＩＣと電気的に接続されている。各電極６５は、それぞれが前後方向５１、５２に沿って延出されており、４つの電極６５は、左右方向５５、５６に離間されて配置されている。各電極６５は、ＩＣ基板６４の表面に電気的にアクセス可能に露出されている。
【００７６】
図６に示されるように、移動部材８０の他方の面８４は、第１平面１６１と第２平面１６２と傾斜面１６２とを備えている。第１平面１６１及び第２平面１６２は、移動部材８０が後述する第１姿勢（図６に実線で示される姿勢）のときに、前後方向５１、５２と直交しており且つ前方を向く面である。第２平面１６２は、第１平面１６１よりも軸８２の近くに位置する。移動部材８０が第１姿勢のときに、第１平面１６１は、第２平面１６２よりも前方に位置する。傾斜面１６３は、第１平面１６１及び第２平面１６２を繋ぐ面である。傾斜面１６３は、第１平面１６１及び第２平面１６２に対して傾斜している。
【００７７】
なお、移動部材８０の他方の面８４は、第１平面１６１と第２平面１６２と傾斜面１６３とを備えた構成に限らない。例えば、移動部材８０の他方の面８４は、一つの平面で構成されていてもよい。
【００７８】
図３、図４、及び図６に示されるように、移動部材８０は、凹部９６の右端を区画する右壁６８と、凹部９６の左端を区画する左壁６９とによって、回動可能に支持されている。
【００７９】
以下に詳述する。右壁６８には、孔６８Ａが形成されている。左壁６９には、孔（不図示）が形成されている。左右方向５５、５６において、右壁６８の孔６８Ａ及び左壁の孔は、一直線上に位置している。一方、移動部材８０の右面には、右方へ突出した突起８１が形成されている。移動部材８０の左面には、左方へ突出した突起（不図示）が形成されている。左右方向５５、５６において、右面の突起８１及び左面の突起は、一直線上に位置している。右面の突起８１が右壁の孔６８Ａに挿入されている。左面の突起が左壁の孔に挿入されている。以上のように構成されていることにより、移動部材８０は、左右方向５５、５６に沿った軸８２周りに回動可能である。
【００８０】
図６に示されるように、移動部材８０は、矢印８８、８９の方向へ、図６に実線で示される第１姿勢と図６に破線で示される第２姿勢との間を回動可能である。
【００８１】
移動部材８０は、第１姿勢において、上下方向５３、５４に延びた状態である。つまり、ＩＣ基板６４の電極６５は、移動部材８０が第１姿勢において、上下方向５３、５４に延びた状態である。このとき、電極６５の前後方向５、５２（水平方向）に対する角度は、９０度である。なお、当該角度は、０度よりも大きく９０度以下であればよく、９０度に限らない。
【００８２】
移動部材８０が第１姿勢のとき、移動部材８０の一方の面８３が後方を向き、移動部材８０の他方の面８４が前方を向いている。つまり、移動部材８０が第１姿勢のとき、ＩＣ基板６４の電極６５は後方を向いている。また、移動部材８０が第１姿勢のとき、ＩＣ基板６４の電極６５は、移動部材８０の軸８２よりも下方且つ後方に位置する。また、移動部材８０が第１姿勢のとき、ＩＣ基板６４の電極６５は、前部カバー３２の上面１４１及び後部カバー３１の上面３９よりも下方に位置する。
【００８３】
移動部材８０は、第２姿勢において、前後方向５１、５２に延びた状態である。移動部材８０が第２姿勢のとき、移動部材８０の一方の面８３が上方を向き、移動部材８０の他方の面８４が下方を向いている。第２姿勢の移動部材８０の回動端８０Ａは、第１姿勢の移動部材８０の回動端８０Ａよりも上方に位置する。
【００８４】
なお、第１姿勢の移動部材８０は、ＩＣ基板６４が概ね後方を向いていることを条件として、上下方向５３、５４以外に延びていてもよい。ここで、「概ね後方を向く」とは、ＩＣ基板６４の表面が前後方向５１、５２と直交し、かつＩＣ基板６４の直後から前方向５１へＩＣ基板６４を視たときに、ＩＣ基板６４の表面が視認できている場合のみならず、ＩＣ基板６４の表面が前後方向５１、５２と交差しており、かつＩＣ基板６４の直後から前方向５１へＩＣ基板６４を視たときに、ＩＣ基板６４の表面が視認できる場合を含む。例えば、第１姿勢の移動部材８０は、左右方向５５、５６に沿った視点において、上下方向５３、５４に対して傾斜した方向に延びていてもよい。
【００８５】
また、第２姿勢の移動部材８０は、軸から最も離れた部分である回動端８０Ａが第１姿勢のときよりも上方且つ後方に位置することを条件として、前後方向５１、５２以外に延びていてもよい。例えば、第２姿勢の移動部材８０は、左右方向５５、５６に沿った視点において、前後方向５１、５２に対して傾斜した方向に延びていてもよい。
【００８６】
［係合部１３０］
図６に示されるように、前部カバー３２の下面１４２には、上方へ凹んだ凹部１２９が形成されている。凹部１２９には、係合部１３０が配置されている。係合部１３０は、後述する残量検知部５８の収容体６２よりも前方に位置する。なお、下面４２が遮光板６６よりも前方まで延出されている場合、凹部１２９は下面４２に形成されていてもよい。
【００８７】
係合部１３０は、当接部１３１と、コイルバネ１３２とを備えている。
【００８８】
当接部１３１は、面１３３と面１３４とを備えている。面１３３は、その上端がその下端よりも前方に位置し且つ前方及び下方を向くように、前後方向５１、５２に対して傾斜している。面１３４は、面１３３よりも後方に位置している。面１３４は、その上端がその下端よりも後方に位置し且つ後方及び下方を向くように、前後方向５１、５２に対して傾斜している。
【００８９】
コイルバネ１３２は、凹部１２９の天面１２８と、当接部１３１とに接続されている。コイルバネ１３２の上端が天面１２８に接続している。コイルバネ１３２の下端が当接部１３１に接続している。
【００９０】
当接部１３１の面１３３、１３４は、当接部１３１がコイルバネ１３２に接続された状態において、凹部１２９よりも下方へ突出している、つまり前部カバー３２の下面１４２よりも下方へ突出している。
【００９１】
当接部１３１の面１３３、１３４は、コイルバネ１３２が縮むことによって、凹部１２９内へ収納可能である。このとき、コイルバネ１３２は、当接部１３１を下方へ付勢している。また、当接部１３１の面１３３、１３４は、コイルバネ１３２が自然長のとき、上述したよう凹部１２９よりも下方に位置する。つまり、当接部１３１は、コイルバネ１３２が伸縮することによって、上下方向５３、５４に沿って移動可能である。
【００９２】
［内部フレーム３５］
各図には現れていないが、内部フレーム３５は、左右方向５５、５６一対の端面が開放された環状に構成されている。内部フレーム３５において、開放された一対の面がフィルム（不図示）によって封止されることにより、その内部にインクを貯留可能な貯留室３６が形成されている。貯留室３６を区画する前面４０は、内部フレーム３５が前部カバー３２に挿入された際に、前部カバー３２の前面１４０の裏面に対向する面である。前面４０には、インク供給部３４が配置されている。
【００９３】
［インク供給部３４］
図６に示されるように、インク供給部３４は、前面１４０の下部において、内部フレーム３５の前面４０から前方へ突出している。インク供給部３４は、円筒形状の外形をなしており、前部カバー３２の前面１４０に設けられた孔９７を通じて外方へ突出している。インク供給部３４は、内部空間を有する円筒形状の筒壁７３と、筒壁７３に取り付けられたシール部材７６及びキャップ７９とを備えている。
【００９４】
筒壁７３は、貯留室３６の内部から外部に亘って延設している。筒壁７３の後端部は、貯留室３６において開口している。筒壁７３の前端部は、インクカートリッジ３０の外部に開口している。これにより、筒壁７３は、内部空間を介して貯留室３６及びインクカートリッジ３０の外部と連通している。つまり、インク供給部３４は、貯留室３６に貯留されたインクを筒壁７３の内部空間を通じてインクカートリッジ３０の外部に供給する。筒壁７３の前端には、シール部材７６及びキャップ７９が取り付けられている。
【００９５】
筒壁７３の内部空間には、弁体７７及びコイルバネ７８が収容されている。弁体７７及びコイルバネ７８は、第２付勢部材及びバルブの一例である。弁体７７及びコイルバネ７８は、インク供給部３４の状態を、筒壁７３の内部空間を通じて貯留室３６からインクカートリッジ３０の外部にインクが流出される状態（図９参照）と、筒壁７３の内部空間からインクカートリッジ３０の外部にインクが流出されない状態（図６参照）との間で選択的に切り換えるためのものである。
【００９６】
弁体７７は、前後方向５１、５２に沿って移動することにより、シール部材７６の中央に貫通されたインク供給口７１を開閉する。コイルバネ７８は弁体７７を前方へ付勢している。したがって、外力が付与されていない状態において、弁体７７は、シール部材７６のインク供給口７１を閉じている。
【００９７】
シール部材７６は、筒壁７３の先端に配置されている。シール部材７６は、中央に貫通孔が形成された円盤形状の部材である。シール部材７６は、例えば、ゴムやエラストマのような弾性材料から形成されている。シール部材７６の中央が前後方向５１、５２に貫通されて筒状の内周面が形成され、その内周面によりインク供給口７１が形成されている。インク供給口７１の内径は、インクニードル１０２の外径より若干小さい。シール部材７６は、筒壁７３の外側に嵌め込まれたキャップ７９によって、筒壁７３の先端に液密に当接している。
【００９８】
弁体７７がインク供給口７１を閉じている状態において、インクカートリッジ３０がカートリッジ装着部１１０に挿入されると、インク供給口７１にインクニードル１０２が進入する。インクニードル１０２には、シール部材７６を弾性変形しつつ、その外周面がインク供給口７１を画定する内周面に液密に接触する。インクニードル１０２の先端がシール部材７６を通過して筒壁７３の内部空間へ進入すると、弁体７７に当接する。さらにインクカートリッジ３０がカートリッジ装着部１１０へ挿入されることにより、インクニードル１０２が弁体７７をコイルバネ７８の付勢力に抗して後方へ移動させる。これにより、貯留室３６に貯留されているインクが筒壁７３の内部空間を通じてインクニードル１０２の先端部分へ流通することが可能となる。各図には現れていないが、インクニードル１０２の先端部分に形成された貫通孔を通じて、筒壁７３の内部空間からインクニードル１０２の内部空間へインクが流通する。これにより、貯留室３６に貯留されたインクが、筒壁７３の内部空間、インクニードル１０２を通じて外部へ流出可能となる。
【００９９】
なお、インク供給部３４において、インク供給口７１を閉じる弁体７７は必ずしも設けられなくてもよい。例えば、インク供給口７１がフィルムなどで閉塞されており、インクカートリッジ３０がカートリッジ装着部１１０に装着されると、インクニードル１０２がフィルムを突き破ることによりインク供給口７１を通じてインクニードル１０２の先端部分が筒壁７３の内部空間へ進入する構成であってもよい。また、インク供給口７１は、シール部材７６の弾性により閉じており、インクニードル１０２が挿入されたときのみに、インクニードル１０２に押し拡げられるように形成されていてもよい。
【０１００】
［残量検知部５８］
残量検知部５８は、インクカートリッジ３０の状態（インクカートリッジ３０に貯留されたインクの残量）に応じて、インクカートリッジ３０の外部（カートリッジ装着部１１０の残量センサ１０３）から照射された光の状態を変化させるものである。
【０１０１】
図６に示されるように、残量検知部５８は、収容体６２とセンサーアーム５９とを備えている。
【０１０２】
収容体６２は、内部フレーム３５の上面から、前部カバー３２の孔９８を通じて、前部カバー３２の上面１４１よりも上方へ突出している。収容体６２は、内部空間が貯留室３６と連続する空間を有する。収容体６２は、左右方向５５、５６に沿って光を透過する透光性を有する。収容体６２は、前部カバー３２の孔９８を通じて外部へ露出されている。
【０１０３】
内部フレーム３５の貯留室３６内には、センサーアーム５９が配置されている。センサーアーム５９は、左右方向５５、５６に沿って延びる回動軸６１に支持されており、回動軸６１周りに回動可能である。センサーアーム５９は、フロート６３と遮光板６６とを有している。
【０１０４】
フロート６３は、貯留室３６に貯留されたインクより比重が小さい。したがって、貯留室３６内において、フロート６３はインク中に存在する状態において浮力を生じさせる。貯留室３６がインクでほぼ満たされている状態では、フロート６３の浮力によって、センサーアーム５９は、図６における反時計回りに回動する。
【０１０５】
遮光板６６は、板状の部材であって、内部フレーム３５の収容体６２内に進入している。遮光板６６は、前部カバー３２の上面１４１よりも上方に位置する。遮光板６６は、センサーアーム５９が図６における反時計回りに回動したときに、収容体６２の前端を確定する壁に当接する。これにより、センサーアーム５９の姿勢が維持される。この状態において、遮光板６６は、収容体６２を左右方向５５、５６に進行する残量センサ１０３の光を遮断等する。このときの遮光板６６の位置（図６に実線で示される位置）が、検知位置である。
【０１０６】
より詳細には、残量センサ１０３の発光部から出力された光が受光部に到達するまでの間に遮光板６６に当たることによって、受光部に到達する光の強度が所定の強度未満、例えば、ゼロとなる。遮光板６６は、光が左右方向５５、５６に進むのを完全に遮断してもよいし、光を部分的に減衰させてもよいし、光の進行方向を曲げてもよいし、光を全反射させてもよい。つまり、遮光板６６は、光減衰部の一例である。
【０１０７】
貯留室３６においてインクが減り、遮光板６６が収容体６２を進行する光を遮断等するときの姿勢におけるフロート６３の位置より、インクの液面が下降すると、フロート６３がインクの液面と共に下降する。これにより、センサーアーム５９は、図６における時計回りに回動する。この時計回りの回動によって、収容体６２内に進入していた遮光板６６の一部は、残量センサ１０３の発光部から受光部への光路から外れる。これにより、残量センサ１０３の受光部に到達する光の強度が所定の強度以上となる。このときの遮光板６６の位置（図６に破線で示される位置）が、検知位置とは異なる位置である非検知位置である。
【０１０８】
［インクカートリッジ３０がカートリッジ装着部１１０へ装着される動作］
以下、インクカートリッジ３０がカートリッジ装着部１１０に装着される過程が説明される。
【０１０９】
図７に示されるように、カートリッジ装着部１１０に装着される前のインクカートリッジ３０において、弁体７７は、シール部材７６のインク供給口７１を閉じている。これにより、貯留室３６からインクカートリッジ３０の外部へのインクの流通は遮断されている。
【０１１０】
また、図７に示されるように、カートリッジ装着部１１０に装着される前のインクカートリッジ３０において、残量センサ１０３の発光部と受光部との間には、他の部材が位置しないため、残量センサ１０３からプリンタ１０の制御部へハイレベル信号が出力される。また、装着センサ１１３の発光部と受光部との間には、他の部材が位置しないため、装着センサ１１３からプリンタ１０の制御部へハイレベル信号が出力される。
【０１１１】
また、図７に示されるように、カートリッジ装着部１１０に装着される前のインクカートリッジ３０において、移動部材８０は、自重によって矢印８９の方向へ回動して、第１姿勢となっている。
【０１１２】
図７に示されるように、カートリッジ装着部１１０の開口１１２を通じてケース１０１へインクカートリッジ３０が挿入される。このとき、インクカートリッジ３０は、前面１４０を前方として、カートリッジ装着部１１０へ挿入される。後部カバー３１の後面４１の上部分４１Ｕは下部分４１Ｌよりも後方向５２に位置している、すなわち、ユーザの近くに位置しているので、ユーザは、上部分４１Ｕを押しつつインクカートリッジ３０をカートリッジ装着部１１０に対して前方へ挿入する。また、前述されたように、上部分４１Ｕには、「ＰＵＳＨ」などの文字、矢印などの記号、指で押すことを示した図などが記されたシートが貼られていることにより、ユーザは上部分４１Ｕを押すように促される。インクカートリッジ３０の下部分、すなわち前部カバー３２及び後部カバー３１のそれぞれ下部分は、ケース１０１の下方のガイド溝１０９に進入した状態となる。
【０１１３】
また、カートリッジ装着部１１０のケース１０１へインクカートリッジ３０が挿入される際、当接部１３１の面１３３が、ケース１０１の底面の後端と当接する。これにより、面１３３は、底面に押される。その結果、当接部１３１は、コイルバネ１３２の付勢力に抗して、上方へ移動して凹部１２９に収納される。そして、図７に示されるように、当接部１３１は、底面に下方から支持された状態となる。
【０１１４】
図８に示されるように、インクカートリッジ３０が前方へ更に挿入されると、インク供給部３４のキャップ７９がガイド部１０５に進入し始める。
【０１１５】
また、図８に示されるように、インクカートリッジ３０が前方へ更に挿入されると、前部カバー３２の凹部９６がロッド１２５と対向して、ロッド１２５が開口９６Ａを通じて凹部９６に進入する。凹部９６に進入したロッド１２５は、第１姿勢の移動部材８０の他方の面８４に前方から当接して、他方の面８４を後方へ押す。これにより、移動部材８０は、矢印８８の方向へ回動する。つまり、移動部材８０は、第１姿勢から第２姿勢へ向けて回動する。
【０１１６】
詳述すると、ロッド１２５は、最初に、第１平面１６１と当接する。インクカートリッジ３０が前方へ更に挿入されると、ロッド１２５は、第１平面１６１から離間して傾斜面１６２と当接し、傾斜面１６２に沿って第２平面１６２へ向けて案内される。インクカートリッジ３０が前方へ更に挿入されると、ロッド１２５は、傾斜面１６２から離間して第２平面１６２と当接する（図８の状態）。インクカートリッジ３０が前方へ更に挿入されると、ロッド１２５は、第２平面１６２から離間して傾斜面１６２と当接し、傾斜面１６２に沿って第１平面１６１へ向けて案内される。インクカートリッジ３０が前方へ更に挿入されると、ロッド１２５は、傾斜面１６２から離間して第１平面１６１に下方から当接して第１平面１６１を支持した状態となる（図９の状態）。このとき、移動部材８０は、第２姿勢である。
【０１１７】
また、図８に示されるように、インクカートリッジ３０が前方へ更に挿入されると、残量センサ１０３の発光部と受光部との間に、遮光板６７が位置するため、残量センサ１０３からプリンタ１０の制御部へ出力される信号がハイレベルからローレベルへ変わる。なお、装着センサ１１３からプリンタ１０の制御部へ出力される信号は、ハイレベルのままである。
【０１１８】
図９に示されるように、インクカートリッジ３０が前方へ更に挿入されると、インク供給部３４のキャップ７９がガイド部１０５に進入し、かつインクニードル１０２がインク供給口７１へ進入して、弁体７７をコイルバネ７８の付勢力に抗してシール部材７６から離間させる。インクカートリッジ３０には、コイルバネ７８の付勢力が後方へ付与される。
【０１１９】
また、第１突出部８５において下方を向いている下面８５Ａが、カートリッジ装着部１１０のガイド部１０５の上方に位置し上方を向いている面１７０によって支持される。これにより、インクカートリッジ３０が上下方向５３、５４に位置決めされる。なお、下面８５Ａは、上方から見たときにＩＣ基板６４と重複する位置に配置されている。また、面１７０以外、例えば、ロッド１２５がインクカートリッジ３０を支持して、インクカートリッジ３０を上下方向５３、５４に位置決めしてもよい。
【０１２０】
また、ロッド１２５に押された移動部材８０は、上述したように第２姿勢に回動する。このとき、ロッド１２５の上面１２５Ａは、移動部材８０（詳細には他方の面８４の第１平面１６１）を下方から支持する。また、このとき、接点１０６の下方にＩＣ基板６４が到達する。これにより、接点１０６を上方へ弾性変形させつつ各電極６５が対応する接点１０６と電気的に接続される。つまり、移動部材８０が第２姿勢のとき、カートリッジ装着部１０６の接点１０６とインクカートリッジ３０の電極６５とがアクセス可能である。このとき、ＩＣ基板６４は接点１０６の弾性変形によって下方へ付勢されるが、ロッド１２５が移動部材８０を下方から支持していることにより、ＩＣ基板６４の接点１０６に対する位置決めが正確になされる。
【０１２１】
また、図９に示されるように、インクカートリッジ３０が前方へ更に挿入されると、残量センサ１０３の発光部と受光部との間に、遮光板６６が位置するため、残量センサ１０３からプリンタ１０の制御部へ出力される信号がローレベルに維持される。また、装着センサ１１３の発光部と受光部との間に、遮光板６７が位置するため、装着センサ１１３からプリンタ１０の制御部へ出力される信号は、ハイレベルからローレベルへ変わる。これにより、プリンタ１０の制御部は、カートリッジ装着部１１０にインクカートリッジ３０が装着されたことを認識する。
【０１２２】
図９に示される状態から、コイルバネ７８の付勢力に抗して、インクカートリッジ３０が前方へ更に挿入されると、係合部１３０は、凹部９１の真上に位置する。すると、当接部１３１は、底面に支持されない状態となる。これにより、図１０に示されるように、当接部１３１は、コイルバネ１３２の付勢力により、下方へ移動して凹部９１内に位置する。ここで、インクカートリッジ３０はコイルバネ７８によって後方へ付勢されているため、当接部１３１の面１３４が、カートリッジ装着部１１０の凹部９１の面９３に、前方から当接する。つまり、面１３４と面９３とが係合する。これにより、インクカートリッジ３０の後方への移動は規制される。すなわち、インクカートリッジ３０はカートリッジ装着部１１０内に位置決めされて装着が完了した状態となる。このときのインクカートリッジ３０は装着状態である。
【０１２３】
装着状態のインクカートリッジ３０から記録ヘッド２１へインクが流出することによって、貯留室３６内のインクが減ると、上述したように、収容体６２内に進入していた遮光板６６の一部は、残量センサ１０３の発光部から受光部への光路から外れる。これにより、残量センサ１０３からプリンタ１０の制御部へ出力される信号は、ローレベルからハイレベルに変わる。これにより、プリンタ１０の制御部は、貯留室３６内のインクの残量が少なくなったことを認識する。
【０１２４】
以下、装着状態のインクカートリッジ３０がカートリッジ装着部１１０から脱抜される過程が説明される。
【０１２５】
装着状態のインクカートリッジ３０がユーザに把持されて引かれることで後方へ移動すると、係合部１３０の当接部１３１の面１３４が、カートリッジ装着部１１０の凹部９１の面９３を、前方から後方へ押す。これにより、当接部１３１は、面９３からの反作用の力により、コイルバネ１３２の付勢力に抗して上方へ移動する。その結果、図８に示されるように、上方へ移動した当接部１３１が、カートリッジ装着部１１０の底面に支持された状態となる。これにより、インクカートリッジ３０の後方への移動が規制されなくなる。その結果、インクカートリッジ３０が更に後方へ移動することで、インクカートリッジ３０は、カートリッジ装着部１１０から脱抜される。
【０１２６】
インクカートリッジ３０が後方へ移動すると、遮光板６７が装着センサ１１３の発光部と受光部との間から離間する。そのため、装着センサ１１３からプリンタ１０の制御部へ出力される信号がローレベルからハイレベルへ変わる。これにより、プリンタ１０の制御部は、カートリッジ装着部１１０からインクカートリッジ３０が脱抜されたことを認識する。
【０１２７】
また、インクカートリッジ３０が後方へ移動すると、移動部材８０がロッド１２５よりも前方に位置するようになる。これにより、移動部材８０は、ロッド１２５に支持されなくなるため、図７に示されるように、自重によって矢印８９の方向へ回動する。つまり、移動部材８０は、第２姿勢から第１姿勢へ回動する。
【０１２８】
［本実施形態の作用効果］
本実施形態によれば、ＩＣ基板６４は、軸８２周りに回動可能な移動部材８０によって、第１姿勢と、カートリッジ装着部１１０によってアクセス可能な第２姿勢とに回動可能である。ＩＣ基板６４が、カートリッジ装着部１１０によってアクセス可能な第２姿勢とは異なる第１姿勢において、ＩＣ基板６４には、ごみやインク、削りカスなどが付着しがたい。
【０１２９】
また、ＩＣ基板６４は第１姿勢において軸８２より下方かつ後方に位置する。これにより、前面１４０に設けられたインク供給部３４から流出したインクがＩＣ基板６４に付着する可能性を、ＩＣ基板６４が第１姿勢において軸８２より前方に位置する場合よりも低くすることができる。
【０１３０】
また、本実施形態によれば、ＩＣ基板６４は、第１姿勢において上面１４１、３９より下方に位置する。そのため、移動部材８０が第１姿勢であるときに、ユーザがＩＣ基板６４に触れるおそれを軽減できる。
【０１３１】
また、本実施形態によれば、移動部材８０が凹部９６に配置されている。そのため、移動部材８０が第１姿勢であるときに、ユーザがＩＣ基板６４に触れるおそれを一層軽減できる。また、インクカートリッジ３０が床に落下されたりしたときに、移動部材８０及びＩＣ基板６４が破損し難い。
【０１３２】
また、本実施形態によれば、ロッド１２５が移動部材８０を押圧するときに、ロッド１２５が傾斜面１６３に案内されることによって、移動部材８０が円滑に回動することができる。また、第１平面１６１がロッド１２５に支持されることによって、第２姿勢の移動部材８０を安定させることができる。
【０１３３】
また、本実施形態によれば、インクカートリッジ３０がカートリッジ装着部１１０に挿入される過程において、ロッド１２５が当接することによって、移動部材８０が第１姿勢から第２姿勢へ回動する。
【０１３４】
また、本実施形態によれば、インク供給部３４は、前部カバー３２の前面１４０に配置されている。そのため、インク供給部３４から流出したインクが、ＩＣ基板６４に付着し難い。
【０１３５】
また、本実施形態によれば、移動部材８０が第１姿勢であるとき、ＩＣ基板６４の電極６５は概ね後方を向く。これにより、移動部材８０が第１姿勢であるときに、ＩＣ基板６４にゴミやインク、削りカスなどが付着し難い。
【０１３６】
［変形例］
上記実施形態では、移動部材８０は凹部９６に配置されていたが、移動部材８０の配置位置は凹部９６に限らない。例えば、移動部材８０は、上面１４１よりも上方において、上面１４１から上方へ突出した凸部によって回動可能に支持されていてもよい。
【０１３７】
上記実施形態では、カートリッジ装着部１１０のロッド１２５が、移動部材８０と当接して押圧することで、移動部材８０を回動させていた。しかし、移動部材８０を回動させるのは、ロッド１２５に限らない。例えば、ケース１０１の天面から下方へ突出した突出部が形成されており、当該突出部が、インクカートリッジ３０がカートリッジ装着部１１０に装着される過程において、前方から移動部材８０に当接して移動部材８０を回動させてもよい。
【０１３８】
上記実施形態では、ＩＣ基板６４がアクセス部の一例であった。そして、ＩＣ基板６４が、移動部材８０に固定されており、移動部材８０と一体に回動した。しかし、アクセス部は、ＩＣ基板６４に限らない。つまり、移動部材８０と一体に回動するのは、カートリッジ装着部１１０から直接的にアクセスを受けるＩＣ基板６４に限らず、光学的にアクセスされるものであってもよい。例えば、装着センサ１１３の光を遮断する遮光板６７が、アクセス部の光減衰部の一例であってもよい。つまり、遮光板６７が移動部材８０に取り付けられており、移動部材８０と一体に回動してもよい。
【０１３９】
上記実施形態では、遮光板６７は、装着センサ１１３の光を遮断するものであった。つまり、遮光板６７は、インクカートリッジ３０がカートリッジ装着部１１０に装着されているか否かを検知する目的で配置されていた。しかし、遮光板６７は、前記目的とは別の目的で配置されたものであってもよい。例えば、遮光板６７は、カートリッジ装着部１１０に装着されたインクカートリッジ３０の種類（例えば貯留されているインクの色）を識別する目的で配置されていてもよい。つまり、遮光板６７は、インクカートリッジ３０の種別を検知するための種別検知リブであってもよい。このとき、遮光板６７は、種別検知センサの光を遮断し得る。なお、この種別検知リブが、アクセス部の一例であってもよい。そして、この種別検知リブが、移動部材８０に固定されており、移動部材８０と一体に回動してもよい。
【０１４０】
なお、ＩＣ基板６４以外のもの（例えば遮光板６７）がアクセス部の一例であって、当該ＩＣ基板６４以外のものが移動部材８０に固定されている場合、ＩＣ基板６４は、移動部材８０に固定されていない。この場合、ＩＣ基板６４は、例えば、前部カバー３２の上面１４１に支持されている。
【０１４１】
また、遮光板６７がアクセス部の一例であって、移動部材８０に固定されている場合、移動部材８０が第２姿勢のときの遮光板６７の位置は、ＩＣ基板６４よりも後方且つ上方に位置する。
【０１４２】
上記実施形態では、カートリッジ装着部１１０に装着される前のインクカートリッジ３０において、移動部材８０は、自重によって矢印８９の方向へ回動して、第１姿勢となっていた。しかし、移動部材８０は、自重以外によって第１姿勢となっていてもよい。例えば、移動部材８０は、コイルバネなどの付勢部材に第１姿勢へ向けて付勢されることによって第１姿勢となっていてもよい。
【０１４３】
上記実施形態では、ＩＣ基板６４は、固い板状であるリジッド基板であったが、プラスチックフィルムなどで構成されており、可撓性を有するフレキシブル基板であってもよい。
【０１４４】
上記実施形態では、インク供給部３４のコイルバネ７８が、カートリッジ装着部１１０に装着されたインクカートリッジ３０を後方へ付勢していたが、カートリッジ装着部１１０に装着されたインクカートリッジ３０を後方へ付勢するのは、インク供給部３４のコイルバネ７８に限らない。
【０１４５】
例えば、インクカートリッジ３０を後方へ付勢するためのバネをインク供給部３４以外の位置に配置してもよい。当該バネの配置位置としては、例えば、前部カバー３２の凹部９６が挙げられる。この場合、インクカートリッジ３０のカートリッジ装着部１１０への装着過程において、当該バネがカートリッジ装着部１１０のロッド１２５に圧接することによって、インクカートリッジ３０は後方へ付勢される。
【０１４６】
上記実施形態では、インクが印刷流体の一例として説明されているが、例えば、インクに代えて、印刷時にインクに先立って用紙などに吐出される前処理液が液体カートリッジに貯留されていてもよい。また、記録ヘッド２１を洗浄するための水が液体カートリッジに貯留されていてもよい。
【符号の説明】
【０１４７】
１０・・・プリンタ
３０・・・インクカートリッジ（印刷流体カートリッジ）
３４・・・インク供給部（供給部）
３１・・・後部カバー（本体）
３２・・・前部カバー（本体）
３５・・・内部フレーム（本体）
４１・・・後面
６４・・・ＩＣ基板（アクセス部）
８０・・・移動部材
８０Ａ・・・移動部材の回動端
１４０・・・前面
【図１】
2018052004.tif 000003
【図２】
2018052004.tif 000004
【図３】
2018052004.tif 000005
【図４】
2018052004.tif 000006
【図５】
2018052004.tif 000007
【図６】
2018052004.tif 000008
【図７】
2018052004.tif 000009
【図８】
2018052004.tif 000010
【図９】
2018052004.tif 000011
【図１０】
2018052004.tif 000012